(57)【要約】【課題】透過型ホログラムを使用した表示システムにおいて良好な観察像を観察可能とする。【解決手段】本発明に係る表示システムは、透過型ホログラムと、点光源と、を備える表示システムであって、透過型ホログラムは、点光源を取り囲むように配置され、所定の動線上を移動する観察者が、表示システムを観察する際、透過型ホログラムを介して点光源を観察することで、点光源の周囲に観察像を観察させるとともに、光源と所定の動線上を移動する観察者の視点位置を結ぶ線分上には、透過型ホログラムもしくは遮蔽部材が配置されていることを特徴とする。【選択図】図３
2015114636.tif 000002
【特許請求の範囲】
【請求項１】
透過型ホログラムと、点光源と、を備える表示システムであって、
前記透過型ホログラムは、前記点光源を取り囲むように配置され、
所定の動線上を移動する観察者が、表示システムを観察する際、前記透過型ホログラムを介して前記点光源を観察することで、前記点光源の周囲に前記透過型ホログラムに記録された観察像を観察させるとともに、前記光源から前記所定の動線上を移動する観察者の視点位置までの線分上には、前記透過型ホログラムもしくは遮蔽部材が配置されていることを特徴とする
表示システム。
【請求項２】
前記点光源を取り囲む前記透過型ホログラムは、領域毎に異なる観察像を記録していることを特徴とする
請求項１に記載の表示システム。
【請求項３】
前記透過型ホログラムは、複数の平面の組み合わせで構成され、
前記点光源から所定の動線上を移動する観察者の視点位置までの線分と、前記透過型ホログラムの平面とが形成する形成角度θは、下記条件式を満たすことを特徴とする
−６０度≦θ≦６０度
請求項１または請求項２に記載の表示システム。
【請求項４】
前記透過型ホログラムの表面形状は、矩形型位相回折格子に形成されていることを特徴とする
請求項３に記載の表示システム。
【請求項５】
透過型ホログラムと、点光源と、を使用する表示方法であって、
前記透過型ホログラムは、前記点光源を取り囲むように配置され、
所定の動線上を移動する観察者が、表示システムを観察する際、前記透過型ホログラムを介して前記点光源を観察することで、前記点光源の周囲に前記透過型ホログラムに記録された観察像を観察させるとともに、前記光源から前記所定の動線上を移動する観察者の視点位置までの線分上には、前記透過型ホログラムもしくは遮蔽部材が配置されることを特徴とする
表示方法。
【発明の詳細な説明】
【技術分野】
【０００１】
本発明は、広告など観察者に対して各種情報を表示する表示システム並びに表示方法に関する。特に、点光源の周辺に絵柄を観察させることが可能な透過型ホログラムを使用した表示システム並びに表示方法に関する。
【背景技術】
【０００２】
従来、紙やプラスチック、金属等、さまざまな基材に情報を印刷（記録）した媒体が使用され、観察者に対して視覚的な情報を提供する表示システム、表示方法が行われている。このような表示システム、表示方法には、観察者に対して絵柄などの情報を観察させるホログラムを使用するものがある。
【０００３】
特許文献１〜３には、このようなホログラムを使用した表示システム、方法について、点光源を観察することで、情報を表示するものが開示されている。特許文献１には、うちわの一部に設けられたフーリエ変換レンズを通して点光源を観察することにより記録された印刷情報を観察させることが記載されている。特許文献２には、カードの一部に設けられたホログラム形成層を通して点光源を観察することにより画像やメッセージを観察することができる観察具について記載されている。特許文献３には、透過型ホログラムを他の部材と一体に形成し、広告宣伝媒体や装飾用部材等に使用することが記載されている。
【先行技術文献】
【特許文献】
【０００４】
【特許文献１】特開２００４−７７５４８号公報
【特許文献２】特許第４８２１９６３号公報
【特許文献３】特許第４９８４６５７号公報
【発明の概要】
【発明が解決しようとする課題】
【０００５】
従来、特許文献１〜３に開示されるホログラムを使用する場合、観察者はホログラムを点光源にかざすことで、ホログラムに記録された観察像を観察するものであった。そのため、観察者は、点光源を自分で探す、あるいは、点光源を用意する必要があり、点光源の無い環境下では、ホログラムに記録された観察像を観察することが困難であった。また、観察者がホログラムをかざす位置によってホログラムと点光源の位置関係が変化するため、観察像を提供、観察させる側が意図した観察像を観察させることも困難であった。
【課題を解決するための手段】
【０００６】
本発明は、このような課題を解決するものであって、そのため、以下の構成要件を有することを特徴としている。
透過型ホログラムと、点光源と、を備える表示システムであって、
前記透過型ホログラムは、前記点光源を取り囲むように配置され、
所定の動線上を移動する観察者が、表示システムを観察する際、前記透過型ホログラムを介して前記点光源を観察することで、前記点光源の周囲に前記透過型ホログラムに記録された観察像を観察させるとともに、前記光源から前記所定の動線上を移動する観察者の視点位置までの線分上には、前記透過型ホログラムもしくは遮蔽部材が配置されていることを特徴とする。
【０００７】
さらに本発明に係る表示システムは、
前記点光源を取り囲む前記透過型ホログラムは、領域毎に異なる観察像を記録している
ことを特徴とする。
【０００８】
さらに本発明に係る表示システムは、
前記透過型ホログラムは、複数の平面の組み合わせで構成され、
前記点光源から所定の動線上を移動する観察者の視点位置までの線分と、前記透過型ホログラムの平面とが形成する形成角度θは、下記条件式を満たすことを特徴とする。
−６０度≦θ≦６０度
【０００９】
さらに本発明に係る表示システムにおいて、
前記透過型ホログラムの表面形状は、矩形型位相回折格子に形成されていることを特徴とする。
【００１０】
また本発明に係る表示方法は、
透過型ホログラムと、点光源と、を使用する表示方法であって、
前記透過型ホログラムは、前記点光源を取り囲むように配置され、
所定の動線上を移動する観察者が、表示システムを観察する際、前記透過型ホログラムを介して前記点光源を観察することで、前記点光源の周囲に前記透過型ホログラムに記録された観察像を観察させるとともに、前記光源から前記所定の動線上を移動する観察者の視点位置までの線分上には、前記透過型ホログラムもしくは遮蔽部材が配置されることを特徴とする。
【発明の効果】
【００１１】
本発明に係る表示システム、表示方法によれば、観察者となるユーザが、自身で点光源を用意する、あるいは、探すことを必要とすることなく、透過型ホログラムに記録された観察像を観察させることが可能となる。また、点光源と透過型ホログラムの位置関係も予め定められているため、広告主等、観察像を提供、観察させる側が意図した観察像を観察者に観察させることが可能となる。さらに、点光源を取り囲むように透過型ホログラムが配置されているため、広い視点位置において点光源の周囲に観察像を観察させることが可能である。また、観察者に対して点光源のみを直視させることもないため、観察時における観察者の違和感を抑えることも可能となる。
【図面の簡単な説明】
【００１２】
【図１】本発明の実施形態に係る透過型ホログラムを説明するための図
【図２】本発明の実施形態に係る透過型ホログラムの製造過程を説明するための図
【図３】実施例１の表示システムについて、その構成と観察像の視認を示す図
【図４】実施例２の表示システムについて、その構成と観察像の視認を示す図
【図５】矩形型位相回折格子を使用するホログラムの回折構造を示す図
【図６】矩形型位相回折格子を使用するホログラムの視認角度を説明するための図
【図７】視点位置でのホログラムに対する角度と光量の関係を説明するための図
【図８】実施例３の表示システムについて、その構成と観察像の視認を示す図
【図９】実施例３の表示システムにおける改良例を説明するための図
【図１０】本発明の他の実施形態に係る表示システムの構成を説明するための図
【図１１】本発明の他の実施形態に係る表示システムの構成を説明するための図
【図１２】本発明の他の実施形態に係る表示システムの構成を説明するための図
【図１３】本発明の他の実施形態に係る表示システムの構成を説明するための図
【図１４】本発明の他の実施形態に係る表示システムの構成を説明するための図
【図１５】本発明の他の実施形態に係る表示システムの構成を説明するための図
【図１６】本発明の他の実施形態に係る表示システムの構成を説明するための図
【図１７】本発明の他の実施形態に係る表示システムの構成を説明するための図
【発明を実施するための形態】
【００１３】
本発明に係る表示システム、並びに、表示方法について図を用いて説明を行う。図１は、本発明に係る表示システム、並びに、表示方法にて使用する透過型ホログラム１について説明するための図である。
【００１４】
図１に示す透過型ホログラム１は、板状の形状であって、ハート型の観察像Ｃを観察させるための情報が記録されている。透過型ホログラム１は、複数層で構成されており、以下に示す各種形態を採用することが可能である。なお、被着体とは建物の窓ガラス等、透過型ホログラム１が貼着される対象物のことをいう。
形態１：ホログラムの凹凸構造付き基材／粘着層／被着体
形態２：ホログラムの凹凸構造／基材／粘着層／被着体
形態３：ホログラムの凹凸構造付き基材／印刷層／粘着層／被着体
形態４：ホログラムの凹凸構造／基材／印刷層／粘着層／被着体
形態５：ホログラムの凹凸構造／印刷層／基材／粘着層／被着体
形態６：（部分的な）印刷層／ホログラムの凹凸構造／基材／粘着層／被着体
【００１５】
上述する各種形態中、基材、粘着層、被着体は透明でもよいし、着色された半透明であってもよい、何れの形態のおいても、透過型ホログラム１越しに配置される点光源Ａを観察可能とすることが必要とされる。また、基材、粘着層、被着体は、紫外線成分を吸収する成分を含有することとしてもよい。形態３、形態４では透明型ホログラム１に印刷層を介在させることとしている。印刷層に、半透明もしくは非透明の絵柄を設けることで、透過型ホログラム１によって観察される観察像の背景、あるいは、装飾部分となる。また、透過型ホログラム１は、上述する各種形態をガラス、あるいは、アクリル板等で挟むことで、強度を持たせることとしてもよい。
【００１６】
一方、点光源Ａは、観察者の視点位置Ｂに対して透過型ホログラム１を挟んで反対の位置に配置される。点光源Ａには、ＬＥＤ（Ｌｉｇｈｔ  Ｅｍｉｔｔｉｎｇ  Ｄｉｏｄｅ）、ろうそく、ライターの火、レーザー光、ＥＬ（Ｅｌｅｃｔｒｏ  Ｌｕｍｉｎｅｓｅｎｃｅ）素子、ＰＬ（Ｐｈｏｔｏ  Ｌｕｍｉｎｅｓｃｅｎｃｅ）素子などを使用することが可能である。また、点光源としては、このような発光体自身が点光源として機能する形態の他、例えば、点光源でない光源に穴の開いた板などを設置して、穴から出てくる光を点光源として機能させる形態を採用することも可能である。
【００１７】
本実施形態の表示システムでは、透過型ホログラム１と点光源Ａは、所定の位置に固定されている。透過型ホログラム１は、建物のガラス窓等の被着体への貼着、自立型、あるいは、フレームスタンドなどで所定位置に固定されている。点光源Ａも同様に、所定の位置に固定され、透過型ホログラム１と点光源Ａは所定の位置関係を有して配置されている。したがって、観察者は、理想的な透過型ホログラム１と点光源Ａの配置状態にて、点光源Ａの周囲に現れる観察像Ｃ、すなわち、広告主等、表示システムを設置する側が意図する観察像Ｃを観察させることが可能となる。なお、透過型ホログラム１あるいは点光源Ａを移動させる形態を採用することも考えられるが、そのような形態においても、移動時の各状態にて、透過型ホログラム１あるいは点光源Ａが理想的な配置関係を有することで、表示システム接地側の意図に即した観察像Ｃを提供することが可能である。
【００１８】
図２には、透過型ホログラム１に使用するホログラム層の製造過程の例が示されている。まず、観察したい観察像の原画２１が用意される（図２（Ａ））。原画２１は、パーソナルコンピューターの画像作成ソフトを使用し、横２５６画素×縦２５６画素のビットマップ画像として作成した。次に、パーソナルコンピューターを使用し、原画２１に対してフーリエ変換を行うことでフーリエ変換像データ２２を形成する（図２（Ｂ））。このときフーリエ変換像データ２２は位相値を四値にしたフーリエ変換像データとしている。フ
ーリエ変換像データの画素数は、原画像の画素数と同じ横２５６画素×縦２５６画素となった。
【００１９】
このフーリエ変換像データ２２を使用してマスター原版２３が作成される。マスター原版２３の作成は、電子ビーム描画露光およびエッチングにより行われる。この際、フーリエ変換像データ２２の１画素の寸法を横５μｍ×縦５μｍとしたため、フーリエ変換像の寸法は横１２８０μｍ×縦１２８０μｍとなった。このフーリエ変換像を、横１００個×縦１００個形成することで、横１２８ｍｍ×縦１２８ｍｍの大型のマスター原版２３を得た（図２（Ｃ））。なお、マスター原版２３の基板には合成石英を用いた。
【００２０】
このマスター原版２３を複製して複数のレプリカ版２４を作成する（図２（Ｄ））。レプリカ版２４の複製は、マスター原版２３に紫外線硬化性樹脂を塗布し、その上にレプリカ版用基板としてＰＥＴ（Ｐｏｌｙｅｔｈｙｌｅｎｅ  ｔｅｒｅｐｈｔｈａｌａｔｅ）フィルムを押し付けた状態で紫外線照射をして紫外線硬化性樹脂を硬化させた後、マスター原版２３を剥離することで行われる。作成した複数のレプリカ版２４をローラーの周囲に幅方向５個×周方向５個となるように隙間無く配置することで、２５個のレプリカ版２４を表面に有するエンボスローラー２５を形成する（図２（Ｅ））。
【００２１】
ホログラム層の形成は、このエンボスローラー２５の表面に他のローラーを当接させ、両ローラー間に紫外線硬化樹脂を塗布したＰＥＴフィルムなどの基材２６を通過させることで行われる。紫外線硬化樹脂が塗布された基材が回転する両ローラー間を通過する際、エンボスローラー２５に配置されたレプリカ版２４のパターンが、紫外線硬化樹脂に転写される。レプリカ版２４のパターンが転写された紫外線硬化樹脂に対して、紫外線を照射することで、紫外線硬化樹脂を硬化させ、基板上にホログラム層２７が形成される。このような製造過程によって、図２（Ｆ）に示すような、大判のホログラム層２７を基板２６上に形成することが可能となる。
【００２２】
以上、透過型ホログラム１の製造過程について一例を説明したが、本発明に使用する透過型ホログラム１は、透過型ホログラム１を介在させて点光源を観察した際に観察像を観察できる形態であれば、その構成、並びに、その製造過程には各種形態を採用することが可能である。
【００２３】
では、本発明の表示システム、表示方法について、各種実施形態（実施例１〜３）について図面を参照しつつ説明する。
【００２４】
（実施例１）
図３（Ａ）は、実施例１の表示システムについて、その構成と観察像Ｃが観察される様子を示す図である。実施例１は、観察者が動線Ｄ上を移動することで変化する観察像Ｃを観察する形態である。表示システムは、円柱状の形状を有する透過型ホログラム１と、当該透過型ホログラム１の内側に設置された点光源Ａを有する。観察者は、視点位置Ｂから透過型ホログラム１を介して点光源Ａを観察することで、点光源Ａの周囲に、観察像Ｃ、本実施形態ではハート形状を観察することができる。
【００２５】
本実施形態の表示システムは、このように観察者が取り得るどの視点位置Ｂにおいても、透過型ホログラム１を介して点光源Ａを観察可能なように、透過型ホログラム１が点光源Ａを取り囲む構成を有している。この表示システム中、透過型ホログラム１が形成する円柱の上面及び下面にも他の透過型ホログラム１または蓋等の遮蔽部が設けられる。もしくは、円柱の上面及び下面は、観察者による観察が困難な視点位置（上面については高い位置、下面については低い位置）に設定される。すなわち、本実施形態の表示システム周囲の動線上を移動する観察者の視点位置（観察者の通常姿勢での視点位置）から表示シス
テムの光源までの線分上には、透過型ホログラム１もしくは蓋などの遮蔽部が配置されることとなる。透過型ホログラム１の観察時には、点光源Ａが必要とされるが、輝度の高い点光源Ａを観察させた場合には、観察者に対する不快感を与える場合がある。本実施形態の表示システムは、透過型ホログラム１を介して点光源Ａを観察可能な位置以外の位置からは、点光源Ａを観察不可能な状態、あるいは、観察困難な状態とすることで、観察者に対して点光源Ａを直視させることが無い。
【００２６】
図３（Ｂ）は、実施例１の表示システムを上面からみたときの様子が示されている。透過型ホログラム１が形成する円筒の中心位置に点光源Ａが配置されている。点光源Ａから視点位置Ｂまでの線分と、透過型ホログラム１とが形成する角度は、直交した状態付近で光量が最大となる。すなわち、観察者に対して明るい観察像Ｃを観察させることが可能となる。本実施形態では、透過型ホログラム１が形成する円筒の中心位置に、点光源Ａを配置したことで、点光源Ａから視点位置Ｂまでの線分と、透過型ホログラム１とを直交状態とし、円筒周囲のどの視点位置Ｂからも観察しやすい観察像Ｃを提供することが可能としている。
【００２７】
（実施例２）
図４（Ａ）は、実施例２の表示システムについて、その構成と観察像Ｃが観察される様子を示す図である。実施例１の場合と同様、周囲に設けられた動線Ｄ上から表示システムを観察する。表示システムは４面の角柱を形成する透過型ホログラム１ａ〜１ｄと、角柱内部に設置された点光源Ａを備えて構成されている。各透過型ホログラム１ａ〜１ｄは、支持部材に平面状の４枚の透過型ホログラム１ａ〜１ｄを配置すること、あるいは、１枚の透過型ホログラムにて４面を形成することとしてもよい。４枚の透過型ホログラム１ａ〜１ｄを使用した場合、それぞれの透過型ホログラム１ａ〜１ｄには、同じ観察像、あるいは異なる観察像が記録されていてもよい。図の例では、観察者は、視点位置Ｂから透過型ホログラム１ａを介して点光源Ａを観察することで、点光源Ａの周囲に、観察像Ｃ、本実施形態ではハート形状を観察している状態が示されている。この実施例２においても、角柱の上面、下面は、点光源Ａを直接観察しないように他の透過型ホログラム１または遮蔽部としての蓋を設ける、あるいは、観察者が観察困難な位置とすることが必要とされる。
【００２８】
実施例１において、点光源Ａから視点位置Ｂまでの線分と、透過型ホログラム１は直交状態付近において、観察しやすい観察像Ｃを提供することができることを説明したが、この実施例２では、観察者の視点位置Ｂによって、点光源Ａから視点位置Ｂまでの線分と、透過型ホログラム１の法線とが形成する角度（以下、「形成角度θ」という。）が変化することとなる。図４（Ｂ）には、実施例２の表示システムを上面からみたときの様子が示されている。透過型ホログラム１が形成する角柱の中心位置に点光源Ａが配置されている。視点位置Ｂ１では、形成角度θは直交状態、すなわち、点光源Ａから視点位置Ｂまでの線分と、透過型ホログラム１の法線とが形成する角度が０度であるが、視点位置Ｂ２から分かるように、視点位置Ｂ１から遠ざかるにしたがって形成角度θは大きくなる。
【００２９】
では、この形成角度θの好ましい範囲について、矩形型位相回折格子にて形成されるホログラムについて説明する。図５には、矩形型位相回折格子にて形成されるホログラムの回折構造を示す図である。図中、横軸（ｘ軸）は、ホログラム面に平行な軸であり、縦軸（ｚ軸）はホログラム面に直交する軸である。縦軸は、横軸の位置（ｘ）の関数φ（ｘ）として記述することが可能である。矩形型位相回折格子は、ホログラム層の製造過程で説明したように、その表面にレプリカ版２４のパターンを用いて形成された凹凸（以下、矩形ともいう。）を有する。矩形型位相型回折格子の場合、１周期Ｔ内に凸部と凹部が繰り返し形成される。図に示すように、凹部及び凸部の高さをｈとした場合、ｍ次光の回折効率ηは以下に示す（１）式で表すことが可能である。１次光の回折効率は（１）式のｍに
１を代入することで（２）式として表される。
【００３０】
【数１】
2015114636.tif 000003
【数２】
2015114636.tif 000004
【００３１】
これら（１）式、（２）式は、ｚ軸方向の回折効率ηを示したものであるが、前述したように、点光源Ａから視点位置Ｂまでの線分がホログラム面の法線に対して形成角度θが形成されると、図６に示すように、凸部を通過する光の光学距離は、ｈからｈ／ｃｏｓθに変化する。したがって、形成角度θにおける１次光の回折効率η1’は、（３）式とし
て記述される。図７には、（３）式について、形成角度θと観察光量、すなわち、回折効率に応じた光量が示されている。なお、観察光量には、形成角度θが０の時を基準とした比率が示されている。図７から分かるように形成角度が６０度を超えると、観察光量は小さい値となるため観察像の視認は困難になることが分かる。形成角度がマイナスの場合も同様であるため、形成角度θ、すなわち、点光源Ａから視点位置Ｂまでの線分と、透過型ホログラム１の法線とが形成する角度は、下記（４）式の条件を満たすことが好ましい。
【数３】
2015114636.tif 000005
−６０度≦θ≦６０度        ・・・（４）
【００３２】
表示システムにおいて、何れの視認位置Ｂにおいてもこのような形成角度θの条件を満たすことで、観察者に対して良好な観察像Ｃを視認させることが可能となる。次に説明する実施例３では、このような形成角度θの設定が重要となる。
【００３３】
（実施例３）
図８（Ａ）は、実施例３の表示システムについて、その構成と観察像が観察される様子を示す図である。実施例１の場合と同様、周囲に設けられた動線Ｄ上から表示システムを観察する。表示システムは壁面にせり出すように配置された３面の透過型ホログラム１ａ〜１ｃと、その内部に設置された点光源Ａを備えて構成されている。図の例では、観察者は、視点位置Ｂから透過型ホログラム１ａを介して点光源Ａを観察することで、点光源Ａの周囲に、観察像Ｃ、本実施形態ではハート形状を観察している状態が示されている。この実施例３においても、透過型ホログラム１ａ〜１ｃが設けられていない上面、下面には、他の透過型ホログラム１または蓋等の遮蔽部を設ける、あるいは、観察者が観察困難な位置とすることが必要とされる。
【００３４】
図８（Ｂ）には、実施例３の表示システムを上面からみたときの様子が示されている。点光源Ａは、透過型ホログラム１ａ〜１ｃで取り囲まれた壁面位置に配置されている。３
つの透過型ホログラム１ａ〜１ｃは、透過型ホログラム１ａを長手方向に有する長方形を形成している。そのため、透過型ホログラム１ａは、比較的広い観察範囲を提供するものの、透過型ホログラム１ａを介して点光源Ａを観察するとき、形成角度θは大きくなる可能性がある。そのため視点位置Ｂによっては、上記（４）式を満たすことができなくなる場合がある。
【００３５】
図９には、実施例３の表示システムについてその改良例が示されている。図９は、図８の実施例３と同様、壁面に設けられた点光源Ａを、３つの透過型ホログラム１ａ〜１ｃで取り囲んだ形態となっている。この改良例では、点光源Ａに対向した広い面積を有する透過型ホログラム１ａについて、その両端に傾斜面を設けている。傾斜面は同じ透過型ホログラム１ａを折り曲げて形成することとしてもよく、透過型ホログラム１ａとは別の透過型ホログラムを使用することとしてもよい。このように傾斜面を設けることで、図８（Ｂ）と同じ視点位置Ｂ２から点光源Ａを観察した場合、形成角度θを小さく抑え、上記（４）式を満たすことで、観察像の観察光量の向上を図ることが可能となる。
【００３６】
図１０は、本発明の他の実施形態に係る表示システムの構成を説明するための図である。この実施形態は、観察者が動線Ｄ上を移動することで変化する観察像を観察する形態である。表示システムは、角柱（六角形）形成する６面の透過型ホログラム１ａ〜１ｅと、当該透過型ホログラム１ａ〜１ｅの内側に設置された点光源Ａを有する。観察者は、表示システム周囲の動線上の視点位置Ｂから、透過型ホログラム１ａ〜１ｅを介して点光源Ａを観察することで、点光源Ａの周囲に観察像Ｃ、本実施形態では星形状を視認することが可能である。
【００３７】
このように、図９の場合と同様、複数の平面の組み合わせで構成された透過型ホログラム１ａ〜１ｆを組み合わせて使用する場合、隣接する透過型ホログラム１ａ〜１ｆ間において点光源Ａ側で形成する角度が直角よりも大きい角度となるように隣接させることで、観察者の動線Ｄから観察したときに、動線Ｄ上の何れの視点位置Ｂにおいても、形成角度θを小さく抑え、上記（４）式を満足させることが可能となる。
【００３８】
図１１には、本発明の他の実施形態に係る表示システムについて、その構成と観察像の視認を示す図である。表示システムは、点光源Ａと、点光源Ａを取り囲むように配置された６面の透過型ホログラム１ａ〜１ｆで構成されている。なお、多角柱を構成する面の数は適宜数とすることが可能である。
【００３９】
隣接する透過型ホログラム１ａ〜１ｆは、同じ観察像を記録した形態、あるいは、異なる観察像を記録した形態のどちらでもよい。あるいは、六角柱状の支持部材を１枚の透過型ホログラム１で取り囲むことで形成することとしてもよい。また、透過型ホログラム１ａ〜１ｆで形成された六角柱は、モータ等の駆動手段を備えた制御部（図示せず）により、回転軸２を中心に回転可能となっている。六角柱が回転軸２を中心に回転することで、観察者は、透過型ホログラム１ａ〜１ｆの何れかを介して点光源Ａを観察し、点光源Ａの周囲に現れる観察像Ｃを観察する。図１１は、視点位置Ｂにて透過型ホログラム１ａを介して点光源Ａを観察している状態であって、観察者は透過型ホログラム１ａに記録された第１の観察像Ｃ１を観察することとなる。
【００４０】
この形態は、パチンコやスロット等の遊技機の回転ドラム装置に適用することが考えられる。従来のパチンコ、スロット等の場合、回転ドラムの回転に伴い、回転ドラムの周囲に印刷された数字、絵柄などが上下方向に移動することとなる。回転ドラムに実施例５の表示システムを適用した場合、回転ドラムに相当する六角柱は、回転を行うが、観察像Ｃは、点光源Ａの周囲で静止した状態で観察されるため、遊戯機において新たな表現形態を提供することが可能となる。
【００４１】
特に、透過型ホログラム１ａ〜１ｆの一部に印刷層による絵柄を設けることで、観察者は、静止した観察像Ｃと回転移動する絵柄を同時に観察することが可能となる。また、本実施形態では、六角柱の何れの面についても、透過型ホログラム１ａ〜１ｆで形成することとしたが、６面の内、何れかの面を従来の回転ドラムと同様に、数字、絵柄が印刷された面で構成することも考えられる。観察者は、回転ドラムの回転により、従来の印刷面による回転する数字、絵柄と、透過型ホログラム１ａ〜１ｆによる静止した観察像Ｃを観察することが可能となる。
【００４２】
図１２〜図１７には、本発明の他の実施形態に係る表示システムの構成を説明するための図が示されている。図１２は、３枚の透過型ホログラム１ａ〜１ｃを三角柱状に配置した形態である。透過型ホログラム１ａ〜１ｃは、同じ観察像を記録した形態、あるいは、異なる観察像を記録した形態のどちらでもよい。観察者は、点光源Ａを取り囲む何れかの透過型ホログラム１ａ〜１ｃを介して、点光源Ａを観察することで観察像を観察することが可能となる。
【００４３】
また、点光源Ａを透過型ホログラム１で取り囲む際、複数の透過型ホログラム１で重ねて取り囲むこととしてもよい。図１３に示される表示システムは、点光源Ａを半径の異なる２つの円柱状の透過型ホログラム１ａ、１ｂにて２重に取り囲んだ形態となっている。なお、重ねる透過型ホログラム１の数は適宜数とすることが可能である。また、円柱状に限らず、平板状、曲面状などの形態においても重ねた形態を採用することが可能である。
【００４４】
このように複数の透過型ホログラム１を重ねて取り囲む形態では、透過型ホログラム中にホログラム形成箇所とホログラム非形成箇所を設けておき、視点位置から点光源Ａを観察する際、ホログラム形成箇所が重ならないようにすることが必要である。複数のホログラム形成箇所が重なった場合、観察者に対しては観察像が観察されなくなってしまう。また、ホログラム非形成箇所には、非透明あるいは半透明の絵柄を設けることとしてもよい。透過型ホログラムに形成された絵柄、及び、点光源Ａの位置にて観察される観察像によって、立体感に優れた表示を行うことが可能となる。
【００４５】
図１４に示される表示システムは、下に向かって大径となる円錐形状を有する透過型ホログラム１を採用した形態である。このような形状では、観察者は、下方に位置する表示システムを見下ろすことで、点光源Ａの周囲に現れる観察像を観察することが可能となる。
【００４６】
図１５に示される表示システムは、球形状に形成された透過型ホログラム１を採用した形態である。このような形状では、観察者は、表示システム周囲の何れの位置からも点光源Ａの周囲に現れる観察像を観察することが可能となる。なお、簡略化のため図には示していないが、透過型ホログラム１の面は、隣接して配置された複数の透過型ホログラムで形成される。
【００４７】
図１６に示される表示システムは、３枚の透過型ホログラム１ａ〜１ｃを三角錘形状に配置した形態である。図１４の形態と同様、観察者は、下方に位置する表示システムを見下ろすことで、点光源Ａの周囲に現れる観察像を観察することが可能となる。
【００４８】
図１７に示される表示システムは、円柱形状の透過型ホログラム１ｂと半球形状の透過型ホログラム１ａとを組み合わせた形態となっている。このような形態では、表示システムの側面、あるいは、上方から点光源Ａを観察することで、点光源Ａの周囲に現れる観察像を観察することが可能となる。各透過型ホログラム１ａ、１ｂのそれぞれは、さらに複数の透過型ホログラムによって構成することとしてもよい。
【００４９】
以上、本発明の表示システム、表示方法について各種形態を説明したが、本発明によれば、表示システムを提供する側が、透過型ホログラム１と点光源Ａの配置を予め設定して提供するため、観察者となるユーザは、自身で点光源を用意する、あるいは、探す必要が無いとともに、表示システムの提供側で意図した観察像を観察者に観察させることが可能となる。さらに、複数の透過型ホログラムが隣接して配置されているため、観察者が動線状を移動する、透過型ホログラムが移動する、あるいは、点光源が移動することで、観察者に対して、変化する観察像を観察させることが可能となる。
【００５０】
以上、本発明の表示システム、表示方法について各種形態を説明したが、本発明によれば、表示システムを提供する側が、透過型ホログラム１と点光源Ａの配置を予め設定して提供するため、観察者となるユーザは、自身で点光源を用意する、あるいは、探す必要が無いとともに、表示システムの提供側で意図した観察像を観察者に観察させることが可能となる。さらに、どの視点位置においても、当該視点位置と点光源の間に透過型ホログラムが介在するため、どの視点位置においても点光源の周囲に観察像を観察させることが可能である。また、光源と所定の動線上を移動する観察者の視点位置を結ぶ線分上には、透過型ホログラムあるいは遮蔽部が配置されているため、観察者に対して点光源のみを直視させることもないため、観察時における観察者の違和感を抑えることも可能となる。
【００５１】
なお、本発明はこれらの実施形態のみに限られるものではなく、それぞれの実施形態の構成を適宜組み合わせて構成した実施形態も本発明の範疇となるものである。
【符号の説明】
【００５２】
１（１ａ〜１ｃ）…透過型ホログラム
２…回転軸
Ａ…点光源
Ｂ…視点位置
Ｃ…観察像
Ｄ…観察者の動線
【図１】
2015114636.tif 000006
【図２】
2015114636.tif 000007
【図３】
2015114636.tif 000008
【図４】
2015114636.tif 000009
【図５】
2015114636.tif 000010
【図６】
2015114636.tif 000011
【図７】
2015114636.tif 000012
【図８】
2015114636.tif 000013
【図９】
2015114636.tif 000014
【図１０】
2015114636.tif 000015
【図１１】
2015114636.tif 000016
【図１２】
2015114636.tif 000017
【図１３】
2015114636.tif 000018
【図１４】
2015114636.tif 000019
【図１５】
2015114636.tif 000020
【図１６】
2015114636.tif 000021
【図１７】
2015114636.tif 000022